(57)【要約】【課題】  物品管理システムにおいて類似した位置情報を発信するビーコン信号の重複を避け、省電力化を実現すること。【解決手段】  開閉検知手段と第１のビーコン発受信手段を備えた収納装置と、動作検知手段と第２のビーコン発受信手段を備えたウエアラブル装置と、第１のビーコン発受信手段から所定間隔で発信される位置情報と、第２のビーコン発受信手段から所定間隔で発信される位置情報と、ウエアラブル装置の動作検知手段の情報を含むビーコン信号とをそれぞれ発受信するビーコン発受信装置と、収納状態を判定する収納状態判定装置とを備える物品管理システムにおいて、収納状態判定手段によって収納装置にウエアラブル装置が収納されていることが判定され、開閉検知手段の結果と、ウエアラブル装置の動作検知手段の動作検知の結果によって、所定間隔で発信されるウエアラブル装置の位置情報発信頻度を変更するように制御する。【選択図】図１１
2020083565.tif 000002
【特許請求の範囲】
【請求項１】
開閉検知手段と第１のビーコン発受信手段を備えた収納装置と、
動作を検知する動作検知手段と第２のビーコン発受信手段を備えたウエアラブル装置と、
前記第１のビーコン発受信手段から発信される位置情報と、前記収納装置の開または閉情報を含むビーコン信号と、前記第２のビーコン発受信手段から発信される位置情報と、前記ウエアラブル装置の動作検知手段の情報を含むビーコン信号とを、それぞれ発受信する外部のビーコン発受信装置と、
前記収納装置に出し入れされる物品の収納状態を判定する収納状態判定装置と、
を備える物品管理システムにおいて、
前記収納装置のビーコン発受信手段と、前記ウエアラブル装置のビーコン発受信手段から、それぞれ所定間隔で前記外部のビーコン発受信装置に位置情報が発信され、
前記収納状態判定手段によって収納装置にウエアラブル装置が収納されていることが判定され、
前記開閉検知手段の結果と、ウエアラブル装置の動作検知手段の動作検知の結果によって、前記所定間隔で発信される前記ウエアラブル装置の位置情報発信頻度を変更するように制御することを特徴とする物品管理システム。
【請求項２】
前記開閉検知手段によって前記収納装置が閉状態と検知されたとき、所定間隔で発信される前記ウエアラブル装置の位置情報の発信頻度を下げる、もしくは停止させるように制御することを特徴とする請求項１に記載の物品管理システム。
【請求項３】
前記ウエアラブル装置の前記動作検知手段が動作を検知したとき、所定間隔で発信される前記ウエアラブル装置の位置情報の発信頻度を通常の頻度まで上げるように制御することを特徴とする請求項１又は請求項２に記載の物品管理システム。
【請求項４】
前記開閉検知手段によって前記収納装置が開状態と検知され、且つ前記ウエアラブル装置の前記動作検知手段が動作を検知したとき、所定間隔で発信される前記ウエアラブル装置の位置情報の発信頻度を通常の頻度まで上げるように制御することを特徴とする請求項１又は請求項２に記載の物品管理システム。
【請求項５】
前記ウエアラブル装置の位置情報発信頻度が停止している状態において、前記第２のビーコン発受信手段に対してビーコン信号を発信するよう要求されたとき、前記第２のビーコン発受信手段の代わりに前記第１のビーコン発受信手段が応答するように制御することを特徴とする請求項１乃至請求項４のいずれか一項に記載の物品管理システム。
【請求項６】
前記ウエアラブル装置の位置情報発信頻度が通常の頻度の状態において、前記第２のビーコン発受信手段に対してビーコン信号を発信するよう要求されたとき、前記第１のビーコン発受信手段は応答せず、前記第２のビーコン発受信手段が応答するように制御することを特徴とする請求項１乃至請求項５のいずれか一項に記載の物品管理システム。
【請求項７】
前記収納状態判定装置は、撮像手段を備えるカメラと、前記カメラで撮影された画像から物品を判定する物品判定手段で構成されていることを特徴とする請求項１乃至請求項６のいずれか一項に記載の物品管理システム。
【請求項８】
前記開閉検知手段は開閉検知コイルと、前記開閉検知マグネットで構成されていることを特徴とする請求項１乃至請求項７のいずれか一項に記載の物品管理システム。
【請求項９】
物品の収納状況を始めとする物品の情報を管理する所定の機器で管理された管理テーブルとを備え、
前記収納状態判定装置での撮影時に前記収納装置に収納ないしは持出される物品が何かということが前記物品判定手段によって判定されると、その物品が収納ないしは持出された事が前記所定の機器へ送られ前記管理テーブルが更新されることを特徴とする請求項１乃至請求項８のいずれか一項に記載の物品管理システム。
【請求項１０】
前記管理テーブルは少なくとも名称、その物品が収納されている収納装置の種類、収納状況からなる物品の管理テーブルと、少なくとも名称と設置場所の情報からなる収納装置の管理テーブルからなり、所定の端末から前記所定の機器へアクセスすることで前記管理テーブルにて管理された管理情報が閲覧できることを特徴とする請求項１乃至請求項９のいずれか一項に記載の物品管理システム。
【請求項１１】
前記収納装置の管理テーブルで管理されている前記収納装置に初めて収納された物品については、前記物品の管理テーブルにすでに収納されたことのある物品とは異なる収納状況を示す情報が付与されることを特徴とする請求項１乃至請求項１０のいずれか一項に記載の物品管理システム。
【請求項１２】
前記収納装置はスーツケース等各種ケースや箱、鞄、タンスやクローゼット、押し入れ、物置等、物品を収納することができるもの全てを含むことを特徴とする請求項１乃至請求項１１のいずれか一項に記載の物品管理システム。
【発明の詳細な説明】
【技術分野】
【０００１】
本発明は、ルーターと複数のエンドデバイスとから構成される無線ネットワークにおける通信システムに関し、特に、複数のエンドデバイスにおける省電力化に関する。
【背景技術】
【０００２】
家庭内では、物品を各種収納ケースやタンス、クローゼット等に収納し、衣装等の物品を管理している。無線ネットワークを使用した物品管理方法として、特許文献１のように、エンドデバイスの１つである収納ケースなどにビーコン発信手段を備え、ビーコン受信装置を備えた親機に位置情報などを送信し、物品を管理する物品管理システムなどが考えられる。
【先行技術文献】
【特許文献】
【０００３】
【特許文献１】特開２００７−１２２５３５号公報
【発明の概要】
【発明が解決しようとする課題】
【０００４】
しかし、家庭内で各種収納ケースなどを管理する場合、収納ケースの部屋間の移動などを管理する必要があり、定期的に位置情報を送信する必要がある。このとき、複数の収納ケースを重ねたり、並べたりして使用した場合や、収納ケースの中にビーコン発受信手段を備えた機器を収納して使用した場合、収納ケースとビーコン発受信手段を備えた機器のそれぞれが定期的にほぼ同じ位置の位置情報をビーコン信号として発信することとなる。しかしながら、同じ場所の位置情報は１つあればよい。
【０００５】
本発明は、このような類似したビーコン信号の重複を避け、省電力化を実現することを目的とする。
【課題を解決するための手段】
【０００６】
上記の目的を達成するために、本発明に係る物品管理システムは、
開閉検知手段と第１のビーコン発受信手段を備えた収納装置と、動作を検知する動作検知手段と第２のビーコン発受信手段を備えたウエアラブル装置と、前記第１のビーコン発受信手段から発信される位置情報と、前記収納装置の開または閉情報を含むビーコン信号と、前記第２のビーコン発受信手段から発信される位置情報と、前記ウエアラブル装置の動作検知手段の情報を含むビーコン信号とを、それぞれ発受信する外部のビーコン発受信装置と、前記収納装置に出し入れされる物品の収納状態を判定する収納状態判定装置と、を備える物品管理システムにおいて、前記収納装置のビーコン発受信手段と、前記ウエアラブル装置のビーコン発受信手段から、それぞれ所定間隔で前記外部のビーコン発受信装置に位置情報が発信され、前記収納状態判定手段によって収納装置にウエアラブル装置が収納されていることが判定され、前記開閉検知手段の結果と、ウエアラブル装置の動作検知手段の動作検知の結果によって、前記所定間隔で発信される前記ウエアラブル装置の位置情報発信頻度を変更するように制御することを特徴とする。
【発明の効果】
【０００７】
本発明に係る物品管理システムによれば、略同一箇所に在る複数のエンドデバイスによるビーコン信号を最小限に抑え、省電力化を図ることができる。
【図面の簡単な説明】
【０００８】
【図１】本発明の物品管理システムに係わる部屋１０の斜視図である。
【図２】本発明の物品管理システムに係わる家１の模式図及び近距離無線通信網８１の模式図である。
【図３】本発明の物品管理システムに係わる収納ケース３０の構成図である。
【図４】本発明の物品管理システムに係わる家１のブロック図である。
【図５】本発明の物品管理システムに係わる物品の管理テーブルである。
【図６】本発明の物品管理システムに係わるケースの管理テーブルである。
【図７】本発明の物品管理システムに係わるコンピュータ５０の動作を表すフローチャートである。
【図８】本発明の物品管理システムに係わる物品の管理テーブル１００を更新するプロセスを詳細に示したフローチャートである。
【図９】本発明の物品管理システムに係わるケースの管理テーブル２００を更新するプロセスを詳細に示したフローチャートである。
【図１０】本発明の実施例に係わるＩｏＴ服３００の構成図である。
【図１１】本発明の実施例に係わる収納ケース３０の構成図である。
【図１２】本発明の実施例に係わるＩｏＴ服３００が収納ケース３０に出し入れされる際の省電力システムにおけるコンピュータ５０の動作を表すフローチャートである。
【図１３】本発明の実施例に係わるＩｏＴ服３００が収納ケース３０に出し入れされる際の省電力システムにおけるケースの管理テーブル２００を更新するプロセスを詳細に示したフローチャートである。
【図１４】本発明の実施例に係わる省電力システムにおける物品の管理テーブルである。
【発明を実施するための形態】
【０００９】
以下に、本発明の好ましい実施の形態を、添付の図面に基づいて詳細に説明する。本発明の技術的範囲は、特許請求の範囲によって確定されるものであって、実施形態によって限定されるわけではない。また、実施形態の中で説明されている特徴の組み合わせすべてが、本発明に必須とは限らない。まず、図１から図７を参照して、物品管理システムの概要について説明を行う。
【００１０】
図１はある家１のある一室を示す部屋１０の斜視図である。
【００１１】
２０はクローゼットであり各種収納ケースや物品が収納され、開閉可能に構成されたドア２１を閉めることで各種収納ケースや物品を覆い隠すことができる。３０は収納ケースであり、内部に各種物品が収納されており、この収納ケース３０から出し入れされる物品を監視することで物品の管理が行われる（詳細後述）。４０はホームカメラであり部屋１の大半を画角内に納め、必要に応じて部屋の監視を行うことや後述の収納ケース等から出し入れされる物品の判定に用いられる。
【００１２】
ホームカメラ４０は同図では１つしか示されていないが、家１内に複数設けられることを想定しており、複数設けられることで家１内の死角を極力減らすことが好ましい。５０はコンピュータであり家１内の各デバイスへの指示を司る。６０は無線通信ルーターであり、インターネット通信網８０に接続され、コンピュータ５０等から送られてきた無線信号をクラウドサーバー７０等外部機器へ送信する際や、取得する際に使用される。
【００１３】
図２の（ａ）は家１を模式的に表した図であり、図２（ｂ）は家１内に張り巡らされている近距離無線通信網８１を模式的に表した図である。
【００１４】
１０は前述の部屋であり、１１は１０とは異なる部屋であり、１２は各部屋をつなぐ廊下であり、１３は家１の玄関である。
【００１５】
図２の（ｂ）に示すように、家１内には近距離無線通信網８１が張り巡らされている。近距離無線通信網８１は各デバイスに備わるビーコン発受信装置（詳細後述）から発信されたビーコン信号が届く範囲にある各デバイス間がビーコン信号の通信を通じて相互につながれることで構築されている。
【００１６】
例えば部屋１０を例に取ると、部屋１０内にある前述のクローゼット２０、収納ケース３０、ホームカメラ４０、コンピュータ５０、無線通信ルーター６０を始めとして、照明器具、各スイッチ、ドア等の各デバイス間が相互につながれている。
【００１７】
この近距離無線通信網８１には冗長性があり、一部のデバイス間でのビーコン信号の通信が切断されても他のデバイスを介し、目的のデバイスへビーコン信号を送信することができる。例えばある照明器具を部屋１０から持ち出した場合には、その照明器具を介していたビーコン信号の通信は他のデバイスを介して通信されるように再構築される。反対に部屋１０に新たなデバイスが持ち込まれた場合には、そのデバイスを介した新たな近距離無線通信網８１が再構築される。近距離無線通信網８１は前述の部屋１０の中だけではなく、家１全体のデバイスがつながれ、例えば玄関１３のドア１４から送られたビーコン信号は部屋１０のドア等、他のデバイスを介することで部屋１０の中にあるコンピュータ５０に伝えることが可能である。
【００１８】
以下、図３を参照して、収納ケース３０の構成について説明を行う。
【００１９】
図３は収納ケース３０の構成図であり、図３の（ａ）は収納ケース３０が開の状態を示し、図３の（ｂ）は閉の状態を示す。
【００２０】
収納ケース３０は主に引き出し部３１と本体部３２からなり、引き出し部３１に衣装等の物品が収納可能に構成されている。引き出し部３１を本体部３２から引き出すことで収納ケースが開の状態となり、収納することで閉の状態となる。
【００２１】
前記引き出し部３１にはコイル３１ａとビーコン発受信部３１ｂとコイン型電池３１ｃが備わり、前記本体部３２には前記収納ケース３０が収納状態にある時に前記引き出し部３１の前記コイル３１ａと対向する位置にマグネット３２ａが備わる。前記コイル３１ａと前記マグネット３２ａは開閉検知手段を構成している。以下に開閉検知の原理について説明を行う。
【００２２】
収納ケース３０の引き出し部３１を本体部３２から引き出す動作、すなわち閉状態から開状態への移行動作を行うと、対向していたコイル３１ａとマグネット３２ａとが遠ざかる（図３の（ａ）参照）。これによりコイル３１ａを貫く磁束が変化し、電磁誘導の法則からコイル３１ａに誘導起電力が発生する。この電力によってビーコン発受信部３１ｂを起動させ、コイン型電池３１ｃから電力供給を受けることでビーコン信号が発信される。
【００２３】
次に、前記収納ケース３０の引き出し部３１を本体部３２に収納する動作、すなわち開状態から閉状態への移行動作を行うと、コイル３１ａとマグネット３２ａとが対向する位置に近づく（図３の（ｂ）参照）。これによりコイル３１ａを貫く磁束が変化し、電磁誘導の法則からコイル３１ａには、引き出し部３１を引き出すときと逆向きの誘導起電力が発生する。この電力によってビーコン発受信部３１ｂを動作させ、コイン型電池３１ｃから電力供給を受けることでビーコン信号が発信される。
【００２４】
引き出し３１を引き出す際と、引き出し３１を収納する際では逆向きの誘導起電力が発生することから、ビーコン発受信部３１ｂから発信されるビーコン信号は区別が可能である。このため、一方を引き出し部３１が引き出されたと判定し、他方を引き出し部３１が収納されたと判定することができる。発信されたビーコン信号を前述のコンピュータ５０で受信することで収納ケース３０の開閉が検知される。以上が開閉検知の原理である。
【００２５】
上記収納ケース３０の開閉時だけではなく、収納ケース３０に備わるビーコン発受信部３１ｂからは通常時１０秒毎に１回の頻度でビーコン信号が発信される。このビーコン信号を第１のビーコン信号Ｂ１と呼ぶ。
【００２６】
また、前述のとおり、収納ケース３０の引き出し部３１を本体部３２から引き出された開の状態が検知された際と、収納された閉の状態が検知された際にもビーコン信号が発信される。開の状態が検知された場合に発信されるビーコン俊号を第２のビーコン信号Ｂ２と呼び、閉の状態が検知された場合に発信されるビーコン信号を第３のビーコン信号Ｂ３と呼ぶ。
【００２７】
但し、第１のビーコン信号Ｂ１は省電のために発信頻度を下げても良いし、収納ケース３０の位置の追尾精度を高めるために発信頻度を上げても良いし、位置情報が不要の場合には発信を停止させても良い。収納ケース３０から発信された各ビーコン信号Ｂ１、Ｂ２、Ｂ３は家１内に張り巡らされた近距離通信網８１を経由し、コンピュータ５０を始めとするビーコン発受信部を備える各デバイスに送られる。
【００２８】
収納ケース３０から第１のビーコン信号Ｂ１が送られてきた場合には、周辺のデバイスでビーコン信号Ｂ１が受信される。３つ以上のデバイスでビーコン信号Ｂ１が受信された場合には、３点測位の要領でビーコン信号Ｂ１を受信した各デバイスの位置と各デバイスが受信した電波強度の差から第１のビーコン信号Ｂ１の発信位置が判定される。例えば、図２の（ｂ）に示す収納ケース３０からビーコン信号Ｂ１が発信された場合に、周辺にあるクローゼット２０とコンピュータ５０とドアにてビーコン信号Ｂ１が受信される。３つ以上のデバイスで受信したため、収納ケース３０の現在位置を判定することが可能となる。判定された結果は前記無線通信ルーター５１、インターネット通信網８０を介し、クラウドサーバー７０に送られる。すなわち第１のビーコン信号Ｂ１により収納ケース３０の位置が判定され、その情報がクラウドサーバー７０で管理される。
【００２９】
一方、収納ケース３０から第２のビーコン信号Ｂ２が送られてきた場合にはコンピュータ５０は収納ケース３０の引き出し部３１が開の状態と判定し、第３のビーコン信号Ｂ３が送られてきた場合には閉の状態と判定する。
【００３０】
以上の構成により、収納ケース３０の開閉の検知に加え、収納ケース３０の現在位置の把握が可能である。また、家１内にあるビーコン発受信部３１ｂを備える全ての収納ケース３０から、同様のビーコン信号Ｂ１、Ｂ２、Ｂ３が発信されるよう構成されている。
【００３１】
但し、引き出し部３１に備わるコイル３１ａとビーコン発受信部３１ｂとコイン型電池３１ｃと、本体部３２に備わるマグネット３２ａは、収納ケース３０に始めから付いている必要は無い。着脱可能なコイル３１ａ、ビーコン発受信部３１ｂ、コイン型電池３１ｃと、マグネット３２ａを収納ケース３０に後付けしても構わない。こうすることで専用の収納ケース３０を使用する必要がなくなり、安価にシステムを構築することが可能となる。
【００３２】
前述のとおり収納ケース３０にはビーコン発受信部３１ｂから各ビーコン信号Ｂ１、Ｂ２、Ｂ３が発信されるが、その電力はコイン型電池３１ｃ１つで賄われている。しかし、各ビーコン信号Ｂ１、Ｂ２、Ｂ３を発するのに要する電流は数ｍＡと小さいため、コイン型電池３１ｃ１つでも数年にわたってビーコン信号を発することが可能に構成されている。
【００３３】
続いて、物品の監視方法について説明を行う。前述のとおり収納ケース３０が引き出されると、第２のビーコン信号Ｂ２が発信され、コンピュータ５０へ伝えられる。コンピュータ５０は第２のビーコン信号Ｂ２を発信した収納ケース３０の位置情報から、その収納ケースを画角に捉えているホームカメラ４０を判定し、そのホームカメラ４０に対し撮影開始の指示を送る。ホームカメラ４０でその指示を受け、収納ケース３０の撮影を開始し、収納ケース３０から出し入れされる物品が監視される。
【００３４】
一方、第３のビーコン信号Ｂ３が発信され、コンピュータ５０へ伝えられると、コンピュータ５０は現在撮影中のホームカメラ４０に対し撮影終了の指示を送り、物品の監視が終了する。以上の構成により、収納ケース３０から出し入れされる物品が監視される。出し入れされた物品の判定等、詳細については後述する。
【００３５】
次に、本発明の物品管理システムの構成について、図４に示すブロック図を参照して各々説明を行う。
【００３６】
図４は本発明の第１実施例に係わる物品管理システムのブロック図である。図４においては、本発明の特徴を説明するのに必要な部分のみを記載しており、説明に不要な部分に関しては省略している。また、図１から図３で説明した部材には同一の符号を用いる。
【００３７】
まず家１内に設置されている各デバイスに関して説明を行う。収納ケース３０は前述のとおり引き出し部３１と本体部３２から成る。引き出し部３１には引き出し部３１を本体部３２へ収納時にマグネット３２ａと対向し、開閉検知に用いられるコイル３１ａが備わる。また、近距離にあるデバイスとビーコン信号による通信を確立させ、近距離無線通信網８１の構築に用いられるビーコン発受信部３１ｂと、ビーコン発受信部３１ｂに電力を供給するコイン型電池３１ｃが備わる。
【００３８】
本体部３２には引き出し部３１の収納時にコイル３１ａと対向し、開閉検知に用いられるマグネット３２ａが備わる。ホームカメラ４０にはレンズや撮像素子からなり、画像を撮影する撮像部４１が備わる。また、撮像部４１で取得した画像データを記憶する記憶部４２と、撮影の制御を行う制御部４３と、ホームカメラ４０を駆動させるのに必要な電力を有しホームカメラ４０各部に電力を供給する電源部４４とが備わる。
【００３９】
さらに、コンピュータ５０に画像データを転送する無線通信部４５と、近距離にあるデバイスとビーコン信号による通信を確立させ、近距離無線通信網８１の構築に用いられるビーコン発受信部４６とが備わる。コンピュータ５０への画像データ転送が完了されると記憶部４２に記憶され画像データは順次消去される。これは、データは全てクラウドサーバー７０で一元管理し、不要なデータをなるべくシステム上に残さないようにすることでデータ流出等のリスクを低減するためである。
【００４０】
コンピュータ５０にはコンピュータ５０内の制御及び家庭内の各デバイスへの指示を司る制御部５１が備わる。この制御部５１にはホームカメラ４０から送られてきた画像データに映る物品を判定する物品判定部５１ａを備える。この物品判定部５１ａは、ある物品が何であるかを認識することができる。これは多くの画像から様々な物品の特徴を事前に学習しておくことで実現され、ある物品の画像を解析し、事前学習したデータベースとの特徴量の差分からその物品が何であるかを判定するという既知の技術で実現することができる。
【００４１】
この技術の応用で、家１内に無かった物品に対してはその物品がどのような物か、例えばシャツであればシャツと認識し、家１内にすでに存在し、登録されている物品であればどの登録された物品であるかを認識することができる。さらに、ある収納ケース３０にどれくらいの収納物が収納され、どのくらいの空き容量があるか等も認識することができる。
【００４２】
また、コンピュータ５０にはホームカメラ４０から送られてきた画像データをクラウドサーバー７０にアップロードするのに適した画像に加工する画像処理部５２と、画像データから必要な情報を取得する情報処理部５３とが備わる。さらに、画像処理部５２や情報処理部５３にて処理されたデータや未処理のデータ等を記憶する記憶部５４が備わる。また、コンピュータ５０各部に電力を供給する電源部５５と、ホームカメラ４０から送られてきた画像データを取得したり、コンピュータ５０内で処理された画像データや文字データを無線通信ルーター６０に送信したりする無線通信部５６が備わる。さらに、近距離にあるデバイスとビーコン信号による通信を確立させ、近距離無線通信網８１の構築に用いられるビーコン発受信部５７とが備わる。
【００４３】
処理が終わった元画像データや、処理の終わったデータについても、送信の終わったデータについては記憶部５４から順次消去される。これもホームカメラ４０と同じく不要なデータをなるべくシステム上に残さないようにすることでデータ流出等のリスクを低減するためである。
【００４４】
無線通信ルーター６０には各デバイスとの通信を行う無線通信部６１と、クラウドサーバー７０を始めとする外部機器とのインターネット通信を行う通信部６２とが備わる。また、各通信部６１、６２を駆動させるのに必要な電力を有し各通信部６１、６２に電力を供給する電源部６３が備わる。以上が家１内に設置されているデバイスである。
【００４５】
続いて、家１の外部に設置されているデバイスについて説明を行う。通信拠点７１はクラウドサーバー７０側に設置され、インターネット通信網８０に接続されている。通信拠点７１は無線通信ルーター６０から通信基地局を経由して送られてきたデータを受信したり、クラウドサーバー７０のデータを無線通信ルーター６０に送信したりする際に使用される。通信拠点７１には無線通信ルーター６０と通信し、且つクラウドサーバー７０との通信も行われる通信部７１ａと、通信部７１ａを駆動させるのに必要な電力を有し通信部７１ａに電力を供給する電源部７１ｂとが備わる。
【００４６】
クラウドサーバー７０はある拠点に設置され、家１内の各情報を集約して保存し、コンピュータ５０やモバイル端末９０からの要望に基づき必要なデータをコンピュータ５０やモバイル端末９０に対し送信する役割を担う。クラウドサーバー７０には、通信拠点７１と通信を行う通信部７２が備わる。また、コンピュータ５０から送られてきたデータを保存する記憶部７４と、コンピュータ５０やモバイル端末９０での閲覧に適した状態に情報を処理する情報処理部７３と、コンピュータ５０から送られてきたデータを保存する記憶部７４とが備わる。さらに、クラウドサーバー７０を駆動させるのに必要な電力を有しクラウドサーバー７０に電力を供給する電源部７５が備わる。
【００４７】
モバイル端末９０は主に個人で携帯されて使用され、家１の内部にも外部にも持ち出されるデバイスである。モバイル端末９０はクラウドサーバー７０に保存されている各種情報を閲覧する際の閲覧手段として使用されたり、クラウドサーバー７０へ対し入力を行う際の操作手段として使用されたりする。
【００４８】
モバイル端末９０にはモバイル端末９０の制御を司る制御部９１と、各種情報を表示する表示部９２と、クラウドサーバー７０に保存されている各種データを閲覧するのに適したＵＩを提供するアプリケーション９３とが備わる。また、前記表示部の表面をなぞったり、タップしたりすることで入力操作ができる操作部９４と、前記アプリケーションを含む情報を保存している記憶部９５とが備わる。
【００４９】
さらに、人口衛星から電波を受信し、受信した電波からモバイル端末９０の絶対位置情報を得ることができるＧＰＳ９６が備わる。また、モバイル端末９０を駆動させるのに必要な電力を有しモバイル端末９０に電力を供給する電源部９７と、無線通信ルーター６０や通信基地局との通信を行う無線通信部９８が備わる。さらに、近距離にあるデバイスとビーコン信号による通信を確立させ、近距離無線通信網８１の構築に用いられるビーコン発受信部９９が備わる。
【００５０】
無線通信部９８は無線通信ルーター６０との通信を行う第１の通信手段９８ａと、通信基地局との間を無線通信する際に利用される第２の通信手段９８ｂとを有する。主に家１内にモバイル端末９０がある場合には第１の通信手段９８ａにて通信を行い、家１から持ち出され、第１の通信手段９８ａの信号が無線通信ルーター６０に届かなくなった際に第２の通信手段９８ｂが使用される。このため、モバイル端末９０が家１から持ち出された場合にもクラウドサーバー７０との通信を確立させることが可能である。
【００５１】
また、収納される物品において、物品自体にビーコン発受信部などが備わった、所謂ＩｏＴ（Ｉｎｔｅｒｎｅｔ  ｏｆ  Ｔｈｉｎｇｓ）デバイスと呼ばれる物品の一例として、ＩｏＴ服３００と呼ばれる、衣服にビーコン発受信部などが備わった物がある。ＩｏＴ服３００はビーコン発受信部が備えられていることにより、家１内に張り巡らされている近距離無線通信網８１によって各デバイスに備わるビーコン発受信装置（詳細後述）から発信されたビーコン信号が届く範囲にある各デバイス間がビーコン信号の通信を通じて相互につながっている。
【００５２】
ＩｏＴ服３００は主にユーザーが着用する衣服部３０１と、各種生体情報を測定し、近距離にあるデバイスとビーコン信号による通信を確立させ、近距離無線通信網８１の構築に用いられるビーコン発受信部３０２ｂとが備わる。ＩｏＴ服３００の役割やＩｏＴ服３００に係わる物品管理システムの詳細については後述する。
【００５３】
次に物品の管理方法について図５及び図６に示す表を参照して各々説明を行う。
【００５４】
物品の情報は物品の管理テーブル１００と、その物品を収納しているケースの管理テーブル２００からなる表にまとめられ管理が行われる。図５は物品の管理テーブル１００を示し、図６はケースの管理テーブル２００を示す。物品の管理テーブル１００とケースの管理テーブル２００及びその中で管理されている情報は前述のクラウドサーバー７０にて保存されている。
【００５５】
図５に示すように、物品の管理テーブル１００にて物品の各種情報が管理されている。物品の各種情報は一度システムに登録すると基本変わらない不変情報とリアルタイムに変化する変動情報とに大別される。不変情報としては物品の種類を表す物品カテゴリ１０１、物品の名称を表す登録名称１０２、物品の画像を表す画像１０３、物品を初めて物品管理システムに登録した日時を表す登録日１０８、物品の持ち主を表す持ち主１０９の情報が管理される。
【００５６】
一方、変動情報としては物品の収納状況を表すステータス１０４、物品が収納されている収納ケースを表す収納場所１０５、物品の最終収納日時、ないしは持出し日時を表す最終収納／持出日時１０６、物品の使用頻度を表す使用頻度１０７の情報が管理される。その他物品に対する特記事項があれば特記事項１１０の欄にて管理される。
【００５７】
続いて物品の管理テーブル１００内で管理されている各項目の情報の登録方法について説明を行う。
【００５８】
物品カテゴリ１０１はホームカメラ４０の画像及び物品判定部５１ａから物品の種類が判定され、例えば図５のＡ列の物品では外観から自動的に「シャツ」と登録される。登録名称１０２は、複数のシャツを所持していることから他のシャツと区別するために登録名称１０２を「シャツ１」と持ち主が命名し、物品の管理テーブル１００にモバイル端末９０等から、手動で入力されることで登録される。画像１０３については、物品を収納ケース３０に出し入れした際にホームカメラ４０で撮影された画像が登録されても良いし、購買情報から取得された画像が登録されても良いし、ユーザーが撮影した画像が登録されても良い。
【００５９】
購買情報から取得した情報を予め物品の管理テーブル１００に仮登録しておき、登録された情報に相当する実際の物品が物品判定部５１ａにて認識されると実際の物品が仮登録情報とひも付けされ、本登録される。
【００６０】
ステータス１０４は、物品を収納している際は「収納」、持出している際は「持出」と登録される。但し、収納された物品がまだ物品の管理テーブル１００に登録されていない新規の物品だった場合には「新規」と登録される。「新規」と登録された場合、その後に不変情報である登録名称１０２や画像１０３や持ち主１０９に新たな情報がユーザーによって登録されると、ステータス２０６の欄が更新される。その時もし、収納時であれは「収納」と、持出し時であれば「持出」と登録される。収納場所１０５は、収納状態にある物品に対しては今現在収納されている収納ケース３０の登録名称（後述）が登録され、持出状態にある物品に対しては「−」と登録される。
【００６１】
最終収納／持出日時１０６は、最後に物品が収納ケース３０に出し入れされた時の日時が登録される。使用頻度１０７は、各物品の使用頻度が「高」、「中」、「低」の３段階で登録される。３段階の切り替えのしきい値は各自設定することができ、例えば過去３カ月間にわたり週に１回以上持出し実績があると「高」、３カ月以内に持出し実績があると「中」、３カ月間持出し実績がないと「低」と設定すればその設定に応じた使用頻度が登録される。
【００６２】
登録日１０８は、その物品が初めていずれかの収納ケース３０に収納された日付が登録される。持ち主１０９は、物品の持ち主情報であり、物品の管理テーブル１００にモバイル端末９０等から、手動で入力されることで登録される。特記事項１１０は、特記事項がある場合にのみ登録される。例えば図５のＢ列に示すように靴下の片方に穴が開いていることが判明している場合やＣ列に示すようにシミがあることが判明している場合等に、その情報を必要に応じてモバイル端末９０等から、手動で入力されることで登録される。
【００６３】
上記様々な物品の登録情報の内、変動情報については収納ケース３０が開閉され、物品が出し入れされるたびに最新の情報が上書き登録される。
【００６４】
続いて図６に示すように、ケースの管理テーブル２００にて収納ケース３０の各種情報が管理されている。収納ケース３０の各種情報も物品の情報と同様に一度システムに登録されると基本変わらない不変情報とリアルタイムに変化する変動情報とに大別される。
【００６５】
不変情報としてはケースの種類を表すケースカテゴリ２０１、ケースの名称を表す登録名称２０２、収納ケース３０の画像を表す画像２０３の情報が管理される。一方、変動情報としては収納ケース３０を最後に開閉した際の内部画像を表す最新内部画像２０４、収納ケース３０の空き具合を表す空き容量２０５、収納ケース３０の開閉状態を表すステータス２０６が管理される。また、収納ケース３０の設置場所を表す設置場所２０７、収納ケース３０を最後に開閉した日時を表す最終開閉日時２０８が管理される。
【００６６】
さらに、収納ケース３０に備わるコイン型電池３１ｃの電池残量を表す電池残量２０９、収納ケース３０に備わるビーコン発受信部３１ｂから発信される第１のビーコン信号Ｂ１の発信頻度を表すビーコン頻度２１０が管理される。
【００６７】
続いてケースの管理テーブル２００内で管理されている各項目の情報の登録方法について説明を行う。ケースカテゴリ２０１はホームカメラ４０の画像及び物品判定部５１ａから種類が判定され、例えば図６のＡ列のケースでは外観から自動的に「収納ケース」と登録される。登録名称２０２は、複数の衣装用収納ケースを所持していることから他の衣装ケースと区別するために登録名称２０２を「衣装ケースＡ」と持ち主が命名し、ケースの管理テーブル２００にモバイル端末９０等から、手動で入力されることで登録される。
【００６８】
画像２０３については、物品を収納ケース３０に出し入れした際にホームカメラ４０で撮影された画像が登録されても良いし、購買情報から取得された画像が登録されても良いし、ユーザーが撮影した画像が登録されても良い。その方法は物品の場合と同様である。
【００６９】
最新内部画像２０４は収納ケース３０への物の出し入れが完了し、収納ケース３０が開の状態から閉の状態になりはじめる直前にホームカメラ４０で撮影された画像が登録される。空き容量２０５は物品判定部５１ａにてほとんど物が入っていないと判定された場合には「多」、半分程度物が入っていると判定された場合には「中」、ほとんど空きが無い、ないしは一杯と判定された場合には「少」と登録される。
【００７０】
ステータス２０６は、収納ケース３０が閉じている時は「閉」、開いている時は「開」と登録される。設置場所２０７は、収納ケース３０の設置場所が登録される。登録される情報のレベルは「クローゼットの下段」のように置いてある場所の情報だけでなく可能である場合にはその位置まで登録される。また、家１の玄関１３のドア１４の開閉を検知し、玄関カメラ１５にて収納ケースが持ち出されたことが検知されると設置場所は「持出」と登録される。最終開閉日時２０８は、最後に収納ケース３０が開閉された日時が登録される。
【００７１】
電池残量２０９は収納ケース３０に備わるコイン型電池３１ｃの電池残量を判定し登録される。前述の方法で収納ケース３０の位置が移動していないと判定されている際に、ビーコン信号Ｂ１の電波強度の絶対値を見ることで大まかな電池残量を判定する。残量が多い時は「多」、少ない時は「少」、その間であれば「中」と登録される。
【００７２】
ビーコン頻度２１０は第１のビーコン信号Ｂ１が通常時の１０秒に１回の頻度で発信されている場合には「通常」、通常より頻度が上がっている場合には「多」、下がっている場合には「少」、停止している場合には「停止」と登録される。
【００７３】
上記様々な収納ケース３０の登録情報の内、変動情報については収納ケース３０の開閉や、移動のたびに最新の情報が上書き登録される。
【００７４】
続いて、物品管理システム全体の動作及び流れについて、図７〜図９に示すフローチャートを参照して各々説明を行う。
【００７５】
図７は収納ケース３０開閉時の家１内のシステムへの指示を司るコンピュータ５０の動作を表すフローチャートである。図８、図９は図７のサブプロセスを表すフローチャートである。
【００７６】
Ｓ１０１で収納ケース３０の引き出し部３１が本体部３２から引き出されると、対向していたコイル３１ａとマグネット３２ａが遠ざかる。これによりコイル３１ａに誘導起電力が発生し、収納ケース３０が開いたことを示す第２のビーコン信号Ｂ２が収納ケース３０に備わるビーコン発受信部３１ｂから発信される。この信号が近距離無線通信網８１を経由し、コンピュータ５０に伝えられるとＳ１０２に進む。収納ケース３０の引き出し部３１が本体部３２から引き出されず、第２のビーコン信号Ｂ２が受信されなかった場合にはコンピュータ５０は動作を行わない。
【００７７】
Ｓ１０２でコンピュータ５０はホームカメラ４０に対し撮影開始の指示を送る。次に、Ｓ１０３でホームカメラ４０の撮像部４１にて収納ケース３０を撮影し、物の出し入れを監視する。物の出し入れが確認されたならばＳ１０４に進み、確認されなかった場合にはＳ１０６に進む。
【００７８】
Ｓ１０４に進んだならば、出し入れされた物の管理テーブル１００を更新し、その情報をクラウドサーバー７０へ送信し、Ｓ１０５に進む。Ｓ１０５に進んだならば、物品が出し入れされたケースの管理テーブル２００を更新し、その情報をクラウドサーバー７０へ送信し、Ｓ１０６に進む。
【００７９】
Ｓ１０６で収納ケース３０の引き出し部３１を本体部３２に収納されると、対向していたコイル３１ａとマグネット３２ａが対向する。これによりコイル３１ａに誘導起電力が発生し、収納ケース３０が収納されたことを示す第３のビーコン信号Ｂ３が収納ケース３０に備わるビーコン発受信部３１ｂから発信される。この信号が近距離無線通信網８１を経由し、コンピュータ５０に伝えられ、Ｓ１０７に進む。収納ケース３０の引き出し部３１が本体部３２に収納されず、第３のビーコン信号Ｂ３が受信されなかった場合にはＳ１０３に戻る。
【００８０】
Ｓ１０７でコンピュータ５０はホームカメラ４０に対し撮影終了の指示を送り、コンピュータ５０は動作を終了する。
【００８１】
続いて、図８に示す図７のサブプロセスについて説明を行う。図８は図７のＳ１０４に示す物品の管理テーブル１００を更新するプロセスを詳細に示したものである。
【００８２】
Ｓ２０１で物品が衣装ケース３０に対し収納されたか否かを判定する。収納された場合にはＳ２０２に進み、収納されなかった場合にはＳ２０３に進む。Ｓ２０２で収納された物品がまだ物品の管理テーブル１００に登録されていない新規の物品であるかどうかを物品判定部５１ａにて判定する。新規の物品だった場合にはＳ２０６に進み、新規の物品ではなかった場合にはＳ２０４に進む。  Ｓ２０３に進んだならば、物品の管理テーブル１００で管理されているステータス１０４を「持出」に変更し、その情報をクラウドサーバー７０へ送信し、Ｓ２０５に進む。
【００８３】
Ｓ２０４に進んだならば、物品の管理テーブル１００で管理されているステータス１０４を「収納」に変更し、その情報をクラウドサーバー７０へ送信し、Ｓ２０５に進む。Ｓ２０５に進んだならば、使用頻度１０７情報を更新し、その情報をクラウドサーバー７０へ送信し、Ｓ２０８に進む。
【００８４】
Ｓ２０６に進んだならば、物品の管理テーブル１００で管理されているステータス１０４を「新規」に変更し、その情報をクラウドサーバー７０へ送信し、Ｓ２０７に進む。Ｓ２０７に進んだならば、購買情報から取得された物品画像が事前に登録されていなければ物品の収納の際にホームカメラ４０で撮影された物品画像を物品の管理テーブル１００に登録し、Ｓ２０８に進む。
【００８５】
Ｓ２０８に進んだならば、収納場所１０５を更新し、その情報をクラウドサーバー７０へ送信し、Ｓ２０９に進む。Ｓ２０９に進んだならば、最終持出／収納日時１０６を更新し、その情報をクラウドサーバー７０へ送信し、物品の管理テーブル１００を更新するサブプロセスを終了し、図７のＳ１０５に進む。
【００８６】
続いて、図９に示す図７のサブプロセスについて説明を行う。図９は図７のＳ１０５に示すケースの管理テーブル２００を更新するプロセスを詳細に示したものである。
【００８７】
Ｓ３０１で、物品の出し入れの際にホームカメラ４０で撮影された収納ケース３０の内部画像２０４をケースの管理テーブル２００に登録し、その情報をクラウドサーバー７０へ送信し、Ｓ３０２に進む。Ｓ３０２に進んだならば、物品が出し入れされた収納ケース３０の空き容量２０５情報を更新し、その情報をクラウドサーバー７０へ送信し、Ｓ３０３に進む。Ｓ３０３に進んだならば、最終開閉日時２０９を更新し、その情報をクラウドサーバー７０へ送信し、ケースの管理テーブル２００を更新するサブプロセスを終了し、図７のＳ１０６に進む。
【００８８】
以上説明したように、本発明の物品管理システムは家庭内等、所定空間内での物品を簡易に管理することが可能となる。
【００８９】
また、本実施例では物品を収納する容器として収納ケース３０を例に挙げて説明を行ってきたが、本発明の適用範囲はこれに限らない。スーツケース等各種ケースや箱、鞄、タンスやクローゼット、押し入れ、物置等、物品を収納することができるもの全てを対象とする。
【００９０】
例えば、図１に示すクローゼット２０から出し入れされる物品を監視する場合には、クローゼット２０のドア２１にコイル２１ａとビーコン発受信部２１ｂとコイン型電池２１ｃを備え、枠２２にマグネット２２ａを備えることで開閉検知手段が形成できる。
【００９１】
開閉検知の方法についても、コイル３１ａとマグネット３２ａを近づけたり、遠ざけたりすることで発生する誘導起電力を利用することを例に挙げて説明を行ってきたが、本発明の適用範囲はこれに限らない。例えば、振動センサを用い収納ケースを振動させたことを検知すると収納ケースの開を検知しても良いし、重さの変化や傾きの変化等を各種センサ（圧力センサ、加速度センサ、スイッチ等）で検知し、収納ケースの開及び閉を検知する構成としても良い。
【００９２】
さらに、収納される物品については衣類を例に挙げているが、これも当然限定されるものではなく、各収納ケースに収納可能なものであれば全てを対象とする。
【００９３】
以上説明したように、所定空間内での物品を簡易に管理する物品管理システムが可能となる。
【００９４】
次に、本発明にかかる、ＩｏＴ服３００を収納ケースに出し入れして管理する例における省電力化を実現するためのシステムについて、図１０〜図１４を参照して説明を行う。まず、図１０、図１１を参照して、ＩｏＴ服３００と収納ケース３０の構成について説明を行う。図１０はＩｏＴ服３００の構成図であり、図１１はＩｏＴ服３００が収納ケース３０に収納されている時の構成図である。なお、収納ケース３０の構成については前述のとおりである。
【００９５】
ＩｏＴ服３００は主に衣服部３０１と測定部３０２からなり、衣服部３０１の内側に不図示の生体センサ等からなる感知部が備えられ、前記感知部を人体に接触させて生体電位信号を取得することができる。また、前記感知部と前記測定部３０２の間に設けられた不図示の導電布や電極が埋め込まれた繊維等によって前記感知部と前記測定部３０２が電気的に接続される。
【００９６】
前記測定部３０２には各種モーションセンサ３０２ａとビーコン発受信部３０２ｂとコイン型電池３０２ｃが備わる。前記衣服部３０１は図において上着であるが、これに限定されず、衣服、帽子、靴など身につけることができるもの全てを対象とする。また、前記測定部３０２は異なるスタイルの衣類の実際の態様に応じてその取り付け位置を選択でき、特定の制限はない。前記ビーコン発受信部３０２ｂは、コイン型電池３０２ｃから電力供給を受けることでビーコン信号が発信される。
【００９７】
前記感知部によって取得された生体電位信号からなる生体情報は、前記測定部３０２の前記ビーコン発受信部３０２ｂからビーコン信号が発信され、コンピュータ５０へ伝えられる。前記感知部によって生体電位信号からなる生体情報を取得された場合に発信される第４のビーコン信号を生体情報ビーコン信号Ｂ４と呼ぶ。
【００９８】
前記モーションセンサ３０２ａは、例えば物の傾きを検知する傾斜センサ、振動を検知する振動センサ、圧力の変化を検知する圧力センサ等の物の動きを検知するものである。前記モーションセンサ３０２ａが物の動きを検知すると、前記ビーコン発受信部３０２ｂからビーコン信号が発信され、コンピュータ５０へ伝えられる。前記モーションセンサ３０２ａによって物の動きが検知された場合に発信される第５のビーコン信号をモーション情報ビーコン信号Ｂ５と呼ぶ。
【００９９】
前記ビーコン発受信部３０２ｂからは通常時１０秒毎に１回の頻度でビーコン信号が発信される。このビーコン信号を第６のビーコン信号Ｂ６と呼ぶ。但し、第６のビーコン信号Ｂ６は省電のために発信頻度を下げても良いし、前記ＩｏＴ服３００の位置の追尾精度を高めるために発信頻度を上げても良いし、位置情報が不要の場合には発信を停止させても良い。
【０１００】
前記測定部３０２から発信された各ビーコン信号Ｂ４、Ｂ５、Ｂ６は家１内に張り巡らされた近距離通信網８１を経由し、コンピュータ５０を始めとするビーコン発受信部を備える各デバイスに送られる。
【０１０１】
ＩｏＴ服３００から第６のビーコン信号Ｂ６が送られてきた場合には、周辺のデバイスでビーコン信号Ｂ６が受信される。３つ以上のデバイスでビーコン信号Ｂ６が受信された場合には、３点測位の要領でビーコン信号Ｂ６を受信した各デバイスの位置と各デバイスが受信した電波強度の差から第６のビーコン信号Ｂ６の発信位置が判定される。判定された結果は前記無線通信ルーター５１、インターネット通信網８０を介し、クラウドサーバー７０に送られる。すなわち第６のビーコン信号Ｂ６によりＩｏＴ服３００の位置が判定され、その情報がクラウドサーバー７０で管理される。
【０１０２】
一方、ＩｏＴ服３００から第４のビーコン信号Ｂ４が送られてきた場合にはコンピュータ５０はＩｏＴ服３００が生体情報を取得したと判定し、第５のビーコン信号Ｂ５が送られてきた場合にはコンピュータ５０はＩｏＴ服３００の動きが変化したと判定する。
【０１０３】
以上の構成により、ＩｏＴ服３００の状態の検知に加え、ＩｏＴ服３００の現在位置の把握が可能である。また、家１内にあるビーコン発受信部３０２ｂを備える全てのＩｏＴ服３００から、同様のビーコン信号Ｂ４、Ｂ５、Ｂ６が発信されるよう構成されている。なお、家１内でなく外出先ではビーコン信号を受信可能なビーコン発受信部を備える各デバイスやモバイル端末９０でビーコン信号が受信される。
【０１０４】
前述のとおり測定部３０２にはビーコン発受信部３０２ｂから各ビーコン信号Ｂ４、Ｂ５、Ｂ６が発信されるが、その電力はコイン型電池３０２ｃ１つで賄われている。しかし、各ビーコン信号Ｂ４、Ｂ５、Ｂ６を発するのに要する電力は数ｍＡと小さいため、コイン型電池３０２ｃ１つでも数年にわたってビーコン信号を発することが可能に構成されている。
【０１０５】
前記生体情報は、モバイル端末９０で閲覧することができる。前記生体情報とは、例えば心拍数、走行距離、消費カロリー、心電位、気温、体温、湿度、気圧等である。ユーザーが生体情報を確認したい場合には、モバイル端末９０を操作することでクラウドサーバー７０に保存されているデータを閲覧することができる。
【０１０６】
また、最新情報を確認したい場合にはＩｏＴ服３００から最新データを取得すべく、モバイル端末９０を操作してクラウドサーバー７０に対してＩｏＴ服３００のビーコン発受信部３０２ｂからビーコン信号を発信するよう要求することで、最新の生体情報がビーコン発受信部３０２ｂからビーコン信号が発信され、この信号が近距離無線通信網８１を経由し、コンピュータ５０に伝えられ、その情報がクラウドサーバー７０へ送信され、モバイル端末９０で閲覧が可能になる。
【０１０７】
次に、本発明の構成における、ＩｏＴ服３００が収納ケース３０に出し入れされる際の省電力化の動作及び流れについて、図１２、図１３に示すフローチャートを参照して各々説明を行う。
【０１０８】
図１２は収納ケース３０開閉時の家１内へのシステムへの指示を司るコンピュータ５０の動作を表すフローチャートである。図１３は図１２のサブプロセスを表すフローチャートである。
【０１０９】
Ｓ４０１で収納ケース３０の引き出し部３１が本体部３２から引き出されると、対向していたコイル３１ａとマグネット３２ａが遠ざかる。これによりコイル３１ａに誘導起電力が発生し、収納ケース３０が開いたことを示す第２のビーコン信号Ｂ２が収納ケース３０に備わるビーコン発受信部３１ｂから発信される。この信号が近距離無線通信網８１を経由し、コンピュータ５０に伝えられるとＳ４０２に進む。収納ケース３０の引き出し部３１が本体部３２から引き出されず、第２のビーコン信号Ｂ２が受信されなかった場合にはコンピュータ５０は動作を行わない。
【０１１０】
Ｓ４０２でコンピュータ５０はホームカメラ４０に対し撮影開始の指示を送り、Ｓ４０３に進む。
【０１１１】
次に、Ｓ４０３でコンピュータ５０は、ＩｏＴ服３００のビーコン発受信部３０２ｂからモーションセンサ３０２ａによって物の動きが検知された場合に発信される第５のビーコン信号Ｂ５が発信されたかどうかを判定する。ビーコン発受信部３０２ｂからビーコン信号Ｂ５が発信され、コンピュータ５０がビーコン信号Ｂ５を受信すると、Ｓ４０４に進み、受信しなかったならば、Ｓ４０６に進む。例えば、ＩｏＴ服３００が収納された収納ケース３０の引き出し部３１が本体部３２から引き出された時の振動により、ＩｏＴ服３００のモーションセンサ３０２ａが振動を検知することでＩｏＴ服３００が持ち出されたと判定できる。
【０１１２】
Ｓ４０４でコンピュータ５０は、ＩｏＴ服３００のビーコン発受信部３０２ｂによる定期的に位置情報を発する第６のビーコン信号Ｂ６の発信頻度を通常の頻度にするよう指示する第７のビーコン信号Ｂ７を発する。この信号が近距離無線通信網８１を経由し、第６のビーコン信号Ｂ６を発したビーコン発受信部３０２ｂに伝えられるとＩｏＴ服３００のビーコン発受信部３０２ｂは第６のビーコン信号Ｂ６の発信頻度が通常状態である通常モードに移行し、その情報をクラウドサーバー７０へ送信し、Ｓ４０５に進む。
【０１１３】
Ｓ４０５に進んだならば、物品の管理テーブル１００を更新し、その情報をクラウドサーバー７０へ送信し、Ｓ４０６に進む。次に、Ｓ４０６でホームカメラ４０の撮像部４１にて収納ケース３０を撮影し、物の出し入れを監視する。物の出し入れが確認されたならばＳ４０７に進み、確認されなかった場合にはＳ４１１に進む。
【０１１４】
次に、Ｓ４０７でコンピュータ５０は、ＩｏＴ服３００のビーコン発受信部３０２ｂからモーションセンサ３０２ａによって物の動きが検知された場合に発信される第５のビーコン信号Ｂ５が発信されたかどうかを判定する。ビーコン発受信部３０２ｂからビーコン信号Ｂ５が発信され、コンピュータ５０がビーコン信号Ｂ５を受信すると、Ｓ４０８に進み、受信しなかったならば、Ｓ４１１に進む。例えば、ＩｏＴ服３００を収納ケース３０の引き出し部３１から取り出された時の傾きの変化により、ＩｏＴ服３００のモーションセンサ３０２ａが傾きを検知することでＩｏＴ服３００が持ち出されたと判定できる。
【０１１５】
Ｓ４０８でコンピュータ５０は、ＩｏＴ服３００のビーコン発受信部３０２ｂによる定期的に位置情報を発する第６のビーコン信号Ｂ６の発信頻度を通常の頻度にするよう指示する第７のビーコン信号Ｂ７を発する。この信号が近距離無線通信網８１を経由し、第６のビーコン信号Ｂ６を発したビーコン発受信部３０２ｂに伝えられるとＩｏＴ服３００のビーコン発受信部３０２ｂは第６のビーコン信号Ｂ６の発信頻度が通常状態である通常モードに移行し、その情報をクラウドサーバー７０へ送信し、Ｓ４０９に進む。
【０１１６】
ＩｏＴ服３００のビーコン発受信部３０２ｂは通常モードに移行すると、省電モードから復帰し、再び定期的に位置情報を発する第６のビーコン信号Ｂ６を発信する。また、モバイル端末９０の操作によってクラウドサーバー７０からのＩｏＴ服３００のビーコン発受信部３０２ｂからビーコン信号を発信するよう要求を受けると、最新の生体情報がビーコン発受信部３０２ｂからビーコン信号が発信され、この信号が近距離無線通信網８１を経由し、コンピュータ５０に伝えられ、その情報がクラウドサーバー７０へ送信され、モバイル端末９０で閲覧が可能になる。
【０１１７】
Ｓ４０９に進んだならば、物品の管理テーブル１００を更新し、その情報をクラウドサーバー７０へ送信し、Ｓ４１０に進む。Ｓ４１０に進んだならば、物品が出し入れされたケースの管理テーブル２００を更新し、その情報をクラウドサーバー７０へ送信し、Ｓ４１１に進む。
【０１１８】
Ｓ４１１で収納ケース３０の引き出し部３１を本体部３２に収納されると、対向していたコイル３１ａとマグネット３２ａが対向する。これによりコイル３１ａに誘導起電力が発生し、収納ケース３０が収納されたことを示す第３のビーコン信号Ｂ３が収納ケース３０に備わるビーコン発受信部３１ｂから発信される。この信号が近距離無線通信網８１を経由し、コンピュータ５０に伝えられ、Ｓ４１２に進む。収納ケース３０の引き出し部３１が本体部３２に収納されず、第３のビーコン信号Ｂ３が受信されなかった場合にはＳ４０６に戻る。
【０１１９】
Ｓ４１２で収納ケース３０の引き出し部３１にＩｏＴ服３００が収納されているかどうかを判定する。ＩｏＴ服３００が収納されていたならばＳ４１３に進み、収納されていなかった場合にはＳ４１６に進む。物品の判定は、コンピュータ５０内の制御部５１に備えられた物品判定部５１ａによって行われる。さらに、収納ケース３０のビーコン発受信部３１ｂから発信される位置情報と、ＩｏＴ服３００のビーコン発受信部３０２ｂから発信される位置情報とが一致した場合に、ＩｏＴ服３００が収納ケース３０に収納されていると判定することも可能である。
【０１２０】
Ｓ４１３でコンピュータ５０は、ＩｏＴ服３００のビーコン発受信部３０２ｂによる定期的に位置情報を発する第６のビーコン信号Ｂ６を休止指示する第８のビーコン信号Ｂ８を発する。この信号が近距離無線通信網８１を経由し、第６のビーコン信号Ｂ６を発したビーコン発受信部３０２ｂに伝えられるとＩｏＴ服３００のビーコン発受信部３０２ｂは第６のビーコン信号Ｂ６の発信を休止した状態である省電モードに移行し、その情報をクラウドサーバー７０へ送信し、Ｓ４１４に進む。
【０１２１】
ＩｏＴ服３００のビーコン発受信部３０２ｂは省電モードに移行すると、定期的に位置情報を発する第６のビーコン信号Ｂ６の発信を休止する。また、モバイル端末９０の操作によってクラウドサーバー７０からのＩｏＴ服３００のビーコン発受信部３０２ｂからビーコン信号を発信するような要求がされると、収納ケース３０が代わりに応答し、ＩｏＴ服３００が省電モードであることを収納ケース３０のビーコン発受信部３１ｂからビーコンが発信され、この信号が近距離無線通信網８１を経由し、コンピュータに伝えられ、その情報がクラウドサーバー７０へ送信され、モバイル端末９０に通知される。
【０１２２】
Ｓ４１４に進んだならば、出し入れされた物の管理テーブル１００を更新し、その情報をクラウドサーバー７０へ送信し、Ｓ４１５に進む。Ｓ４１５に進んだならば、物品が出し入れされたケースの管理テーブル２００を更新し、その情報をクラウドサーバー７０へ送信し、Ｓ４１６に進む。Ｓ４１６でコンピュータ５０はホームカメラ４０に対し撮影終了の指示を送り、コンピュータ５０は動作を終了する。
【０１２３】
続いて、図１３、図１４を用いて図１２のサブプロセスについて説明を行う。
【０１２４】
図１３は図１２のＳ４０５、Ｓ４０９、Ｓ４１４に示す物品の管理テーブル１００を更新するプロセスを詳細に示したものであり、図１４は更新された物品の管理テーブル１００を示したものである。なお、図１２のＳ４１０、Ｓ４１５に示すケースの管理テーブル２００を更新するプロセスについては、前述の図９と同じである。
【０１２５】
Ｓ５０１で物品が衣装ケース３０に対し収納されたか否かを判定する。収納された場合にはＳ５０２に進み、収納されなかった場合にはＳ５０７に進む。
【０１２６】
Ｓ５０２でホームカメラ４０の撮像部４１にて収納ケース３０を撮影し、出し入れされた物品がＩｏＴ服３００か否かを判定する。出し入れされた物品がＩｏＴ服３００であると判定されたならばＳ５０３に進み、ＩｏＴ服３００でなかったと判定された場合にはＳ５０６に進む。物品の判定は、コンピュータ５０内の制御部５１に備えられた物品判定部５１ａによって行われる。
【０１２７】
Ｓ５０３に進んだならば、物品の管理テーブル１００で管理されている物品カテゴリ１０１に「ＩｏＴ」情報を追加し、その情報をクラウドサーバー７０へ送信し、Ｓ５０４に進む。
【０１２８】
Ｓ５０４でコンピュータ５０は、ＩｏＴ服３００のビーコン発受信部３０２ｂから定期的に位置情報を発する第６のビーコン信号Ｂ６を受け取り、それに対してＩｏＴ服３００のビーコン発受信部３０２ｂに、定期的に位置情報を発する第１のビーコン信号Ｂ１の発信頻度を通常の頻度にするよう指示する第７のビーコン信号Ｂ７もしくは、定期的に位置情報を発する第６のビーコン信号Ｂ６を休止指示する第８のビーコン信号Ｂ８を発信したかどうかを判定する。ビーコン信号Ｂ７もしくはビーコン信号Ｂ８が発信されたならば、Ｓ５０５に進み、発信されなかった場合にはＳ５０６に進む。
【０１２９】
Ｓ５０５に進んだならば、物品の管理テーブル１００で管理されているＩｏＴ服３００のビーコン頻度１１１を更新し、その情報をクラウドサーバーへ送信し、Ｓ５０６に進む。ビーコン信号Ｂ７が発信されたならば、ビーコン頻度１１１は「通常」、ビーコン信号Ｂ８が発信されたならば、図１４に示すように、ビーコン頻度１１１は「停止」もしくは「休止」と登録される。
【０１３０】
Ｓ５０６で収納された物品がまだ物品の管理テーブル１００に登録されていない新規の物品であるかどうかを物品判定部５１ａにて判定する。新規の物品だった場合にはＳ５０９に進み、新規の物品ではなかった場合にはＳ５０８に進む。
【０１３１】
Ｓ５０７に進んだならば、物品の管理テーブル１００で管理されているステータス１０４を「持出」に変更し、その情報をクラウドサーバー７０へ送信し、Ｓ５１０に進む。
【０１３２】
Ｓ５０８に進んだならば、物品の管理テーブル１００で管理されているステータス１０４を「収納」に変更し、その情報をクラウドサーバー７０へ送信し、Ｓ５１０に進む。
【０１３３】
Ｓ５１０に進んだならば、使用頻度１０７情報を更新し、その情報をクラウドサーバー７０へ送信し、Ｓ２０８に進む。
【０１３４】
Ｓ５０９に進んだならば、物品の管理テーブル１００で管理されているステータス１０４を「新規」に変更し、その情報をクラウドサーバー７０へ送信し、Ｓ５１１に進む。Ｓ５１１に進んだならば、購買情報から取得された物品画像が事前に登録されていなければ物品の収納の際にホームカメラ４０で撮影された物品画像を物品の管理テーブル１００に登録し、Ｓ５１２に進む。
【０１３５】
Ｓ５１２に進んだならば、収納場所１０５を更新し、その情報をクラウドサーバー７０へ送信し、Ｓ５１３に進む。Ｓ５１３に進んだならば、最終持出／収納日時１０６を更新し、その情報をクラウドサーバー７０へ送信し、物品の管理テーブル１００を更新するサブプロセスを終了し、図１２のフローに戻る。
【０１３６】
ＩｏＴ服３００が収納ケース３０の中に収納されていると、ＩｏＴ服３００の場所が管理されているにも関わらずＩｏＴ服３００が位置情報のビーコン信号を発し続けてしまうため、２重で管理することになり電力の無駄が生じてしまうが、以上のように、収納ケース３０の中に収納されているＩｏＴ服３００のビーコン発信頻度を休止させることで省電力化が可能となる。
【０１３７】
他にも、本実施例において、箱型の収納ケース３０を例に挙げて説明したが、本発明の適用範囲はこれに限らず、スーツケース等各種ケースや箱、カバン、タンスやクローゼット、押し入れ、物置等、物品を収納することができるもの全てを対象とする。また、収納ケース３０の中に収納されるＩｏＴ服３００は１着とは限らず、複数のＩｏＴ服３００が収納された場合にも同様に適用可能である。
【０１３８】
さらに、ビーコン発受信部などが備わった物品として衣服を例に挙げて説明したが、本発明の適用範囲はこれに限らず、衣服、帽子、靴など身につけることができるもの全てを対象とする。
【０１３９】
例えば靴にビーコン発受信部が備わったＩｏＴ靴４００の場合では、図４に示すように、ＩｏＴ靴４００は主にユーザーが着用する靴部４０１と、各種生体情報を測定し、近距離にあるデバイスとビーコン信号による通信を確立させ、近距離無線通信網８１の構築に用いられるビーコン発受信部４０２ｂとが備わる。各種センサにより、ユーザーが踊っているのか、歩いているのか、それとも走っているのかといった動きの判定をしたり、ＧＰＳ等を設置して現在の位置情報を正確に判定したり、圧力、曲げ、速度、気圧、温度、湿度といった情報を取得することが可能である。
【０１４０】
開閉検知の方法についても、コイル３１ａとマグネット３２ａを近づけたり、遠ざけたりすることで発生する誘導起電力を利用することを例に挙げて説明を行ってきたが、本発明の適用範囲はこれに限らない。例えば、振動センサを用い収納ケースを振動させたことを検知すると収納ケースの開を検知しても良いし、重さの変化や傾きの変化等を各種センサ（圧力センサ、加速度センサ、スイッチ等）で検知し、収納ケースの開及び閉を検知する構成としても良い。さらに、収納される物品については衣類を例に挙げているが、これも当然限定されるものではなく、各収納ケースに収納可能なものであれば全てを対象とする。
【符号の説明】
【０１４１】
２０  クローゼット、３０  収納ケース、３１ａ  コイル、
３１ｂ  ビーコン発受信部、３１ｃ  コイン型電池、３２ａ  マグネット、
４０  ホームカメラ、４１  撮像部、５０  コンピュータ、５４  記憶部、
５７  ビーコン発受信部、７０  クラウドサーバー、１００  物品の管理テーブル、
２００  ケースの管理テーブル、３００  ＩｏＴ服
【図１】
2020083565.tif 000003
【図２】
2020083565.tif 000004
【図３】
2020083565.tif 000005
【図４】
2020083565.tif 000006
【図５】
2020083565.tif 000007
【図６】
2020083565.tif 000008
【図７】
2020083565.tif 000009
【図８】
2020083565.tif 000010
【図９】
2020083565.tif 000011
【図１０】
2020083565.tif 000012
【図１１】
2020083565.tif 000013
【図１２】
2020083565.tif 000014
【図１３】
2020083565.tif 000015
【図１４】
2020083565.tif 000016